(57)【要約】【課題】使用環境、動作モードに応じ最適な受信レベルに自動的に調整するデジタルＦＰＵ受信装置を提供する。【解決手段】ミキサ３で自局波向けの中間周波数帯に変換した自局波受信信号をＩＦ増幅器６で増幅し、増幅したＩＦ信号を検波器９にて検波した検波レベル値と復調器７の復調信号のＢＥＲ（ビット誤り率）をＢＥＲ監視部１１で監視した監視結果とにより、利得制御部１０は低雑音増幅器１の利得を制御する。ＢＥＲ監視部１１がＢＥＲの劣化を検出した場合、低雑音増幅器１の利得制御可能範囲の中心点におけるレベル値としてメモリ１２に設定した基準レベル値（使用環境、動作モードごとに設定）と検波レベル値とをレベル比較器１３で比較し、検波レベル値が、基準レベル値より高い場合、利得を下げる方向に、逆に、基準レベル値よりも低い場合、利得を上げる方向に向かって、利得の調整を開始し、復調信号のＢＥＲが最小となるように利得を制御する。【選択図】図１
2009218857.tif 000002
【特許請求の範囲】
【請求項１】
移動中継車からのデジタル映像情報の無線電波を受信して復調するデジタルＦＰＵ（Field  Pickup  Unit）受信装置において、受信信号を増幅器によりあらかじめ定めた利得制御可能範囲内で可変に増幅した後、自局波向けの中間周波数帯の自局波受信信号に変換して復調する際に、該自局波受信信号を検波した検波レベル値と該自局波受信信号を復調した復調信号のビット誤り率の監視結果とに基づいて、前記受信信号を増幅する前記増幅器の利得を制御することを特徴とするデジタルＦＰＵ受信装置。
【請求項２】
前記復調信号のビット誤り率の監視結果として、ビット誤り率の劣化を検出した場合、発生するビット誤り率が最小になるまで、前記増幅器の利得制御可能範囲の中心点におけるレベル値としてあらかじめ設定されている基準レベル値と前記検波レベル値との比較結果に基づいて、前記増幅器の利得を制御することを特徴とする請求項１に記載のデジタルＦＰＵ受信装置。
【請求項３】
前記検波レベル値と前記基準レベル値との比較結果、前記検波レベル値が、前記基準レベル値よりも高い場合、前記増幅器の利得を下げる方向に向かって利得の調整を開始して、復調信号のビット誤り率が最小となるように利得を制御し、逆に、前記検波レベル値が、前記基準レベル値よりも低い場合、前記増幅器の利得を上げる方向に向かって利得の調整を開始して、復調信号のビット誤り率が最小となるように利得を制御することを特徴とする請求項２に記載のデジタルＦＰＵ受信装置。
【請求項４】
前記検波レベル値と前記基準レベル値との比較結果、前記検波レベル値が、前記基準レベル値と一致する場合、前記増幅器の現在の利得を維持することを特徴とする請求項２または３に記載のデジタルＦＰＵ受信装置。
【請求項５】
前記基準レベル値は、当該デジタルＦＰＵ受信装置が使用される使用環境、動作モードに応じて異なる値に設定されていることを特徴とする請求項２ないし４のいずれかに記載のデジタルＦＰＵ受信装置。
【請求項６】
前記自局波受信信号の復調時におけるビット誤り率の監視結果として、ビット誤り率の劣化がない場合、前記検波レベル値に応じて、前記増幅器の利得を制御することを特徴とする請求項１ないし５のいずれかに記載のデジタルＦＰＵ受信装置。
【発明の詳細な説明】
【技術分野】
【０００１】
本発明は、デジタルＦＰＵ受信装置に関する。
【背景技術】
【０００２】
移動中継車からのデジタル映像情報の無線電波を受信して復調する従来のデジタルＦＰＵ（Field  Pickup  Unit：無線中継ユニット）受信装置について、図３を参照して説明する。図３は、従来のデジタルＦＰＵ受信装置のブロック構成を示すブロック構成図であり、特許文献１の特開平８−１３９９６３号公報「テレビジョン中継装置」にも類似の回路構成が記載されている。ＳＨＦ（Super  High  Frequency：マイクロ波）ＩＮ端子より入力されたマイクロ波受信信号は、低雑音増幅器１へ入力される。低雑音増幅器１は、ＳＨＦ  ＩＮ端子に接続されており、ＳＨＦ  ＩＮ端子から入力されたマイクロ波受信信号を利得制御部１０Ａからの利得制御信号に応じた信号レベルに可変に増幅してバンドパスフィルタ２に出力する。
【０００３】
バンドパスフィルタ２は、低雑音増幅器１に接続されており、広帯域な通過特性を有し、ＳＨＦ  ＩＮ端子から入力されてきた受信可能なマイクロ波周波数以外の信号を除去してミキサ３に出力する。ミキサ３は、バンドパスフィルタ２に接続されており、マイクロ波受信信号をＩＦ（Intermediate  Frequency：中間周波数）信号へ変換して、バンドパスフィルタ５に出力する。局部発振器４は、ミキサ３に接続されており、ミキサ３にてＩＦ信号へ変換する際に、使用するローカル信号を発生する。
【０００４】
バンドパスフィルタ５は、ミキサ３に接続されており、自局波帯域以外の信号を除去して、ＩＦ増幅器６に出力する。ＩＦ増幅器６は、バンドパスフィルタ５に接続されており、ＩＦ受信信号を、一定の利得で増幅して復調器７に出力する。復調器７は、ＩＦ増幅器６に接続されており、ＩＦ受信信号を復調してデコーダ８に出力する。デコーダ８は、復調器７に接続されており、復調された信号をデコードして、映像信号、音声信号、ステータス情報として出力する。
【０００５】
検波器９は、ＩＦ増幅器６に接続されており、ＩＦ受信信号の信号レベルを検波して、利得制御部１０Ａに出力する。利得制御部１０Ａは、検波器９に接続されており、自局波受信信号の検波レベル値に基づいて低雑音増幅器１の利得を制御する。
【０００６】
かくのごとき構成によって、デジタルＦＰＵ受信装置の復調器７の信号レベルを最適な状態に制御し、誤りがない適切な映像信号、音声信号を出力するようにしている。
【０００７】
【特許文献１】特開平８−１３９９６３号公報（第２−３頁）
【発明の開示】
【発明が解決しようとする課題】
【０００８】
前述のような従来の技術は、デジタルＦＰＵ受信装置の出荷時に、前述したように、受信した自局波のマイクロ波周波数を、ＩＦ信号へ変換し、該ＩＦ信号の検波レベル値を用いて、低雑音増幅器１の利得制御を行うことによって、復調器７に入力されるＩＦ信号のレベル調整を行っている。しかし、様々な使用環境、動作モードによって、復調信号のＢＥＲ（Bit  Error  Rate：ビット誤り率）が最小となる最適受信レベル点が異なっている。このため、ＩＦ受信信号の検波レベル値だけを用いた低雑音増幅器１の利得制御を行うような従来技術の場合、ＢＥＲが最小となる最適な状態にはならず、不安定な状態のまま運用しなければならないという問題があった。
【０００９】
本発明は、かかる事情に鑑みてなされたものであり、使用環境、動作モードの違いに応じて、復調信号のＢＥＲが最小となる最適な受信レベル点に自動的に調整することを可能とするデジタルＦＰＵ受信装置を提供することを、その目的としている。
【課題を解決するための手段】
【００１０】
前述の課題を解決するため、本発明によるデジタルＦＰＵ受信装置は、次のような特徴的な構成を採用している。
【００１１】
（１）移動中継車からのデジタル映像情報の無線電波を受信して復調するデジタルＦＰＵ（Field  Pickup  Unit）受信装置において、受信信号を増幅器によりあらかじめ定めた利得制御可能範囲内で可変に増幅した後、自局波向けの中間周波数帯の自局波受信信号に変換して復調する際に、該自局波受信信号を検波した検波レベル値と該自局波受信信号を復調した復調信号のビット誤り率の監視結果とに基づいて、前記受信信号を増幅する前記増幅器の利得を制御するデジタルＦＰＵ受信装置。
【発明の効果】
【００１２】
本発明のデジタルＦＰＵ受信装置によれば、復調時のＢＥＲ情報を常時監視し、ＢＥＲに劣化が発生した場合、ＩＦ信号となった自局波受信信号の検波レベル値が、低雑音増幅器の利得制御可能範囲の中心点における基準レベル値よりも高い場合には、受信信号を可変に増幅する増幅器の利得を下げる方向に向かって調整を開始し、逆に、低い場合は、該増幅器の利得を上げる方向に向かって調整を開始し、該増幅器の利得制御可能範囲内にて最適受信レベル点をサーチするように制御しているので、以下のような効果を得ることができる。
【００１３】
第１に、デジタルＦＰＵ受信装置を実際に使用する使用環境、動作モードにおいてＢＥＲが最小となる最適受信レベル点に自動的に調整することができる。
【００１４】
第２に、実際に受信した自局波受信信号の検波レベル値が、受信信号を可変に増幅する増幅器の利得制御可能範囲の中心点における基準レベル値よりも高いか、低いかに応じて、該増幅器の利得の調整方向を、利得制御可能範囲の中心点に向かう方向で調整を開始しているので、ＢＥＲを現状よりも劣化させることなく利得制御を行うことができる。
【発明を実施するための最良の形態】
【００１５】
以下、本発明によるデジタルＦＰＵ受信装置の好適な実施形態について添付図を参照して説明する。
【００１６】
（本発明の特徴）
本発明の実施形態の説明に先立って、本発明の特徴についてその概要をまず説明する。本発明によるデジタルＦＰＵ受信装置は、様々な使用環境、動作モードによって、復調時のＢＥＲ（Bit  Error  Rate：ビット誤り率）が最小となる受信レベルが異なるため、復調時のＢＥＲ情報を監視して、ＢＥＲが最小になるように、受信信号を可変に増幅可能な増幅器（低雑音増幅器）の利得を自動調整することによって、使用する使用環境、動作モードの違いに応じて、ＢＥＲが最小となる最適な受信レベル点に自動的に調整することを特徴としている。
【００１７】
つまり、本発明においては、復調時のＢＥＲの監視結果として、ＢＥＲに劣化があった場合には、受信した自局波マイクロ波周波数をＩＦ（Intermediate  Frequency：中間周波数)信号へ変換した後の受信信号の検波レベル値を監視し、ＩＦ信号に変換されたＩＦ自局波受信信号の検波レベル値を、メモリにあらかじめ設定されている増幅器（低雑音増幅器）の利得制御可能範囲の中心点における基準レベル値（使用環境、動作モードの違いに応じて異なる値が設定されている）と比較する。受信信号の検波レベル値が該中心点における基準レベル値よりも高い場合は、利得制御可能範囲の中心点へ向かって増幅器（低雑音増幅器）の利得を下げる方向に利得を調整していって、利得制御可能範囲内にて復調時のＢＥＲが最小となる最適受信レベル点をサーチする。
【００１８】
また、受信信号の検波レベル値が中心点における基準レベル値よりも低い場合は、逆に、利得制御可能範囲の中心点へ増幅器（低雑音増幅器）の利得を上げる方向に調整していって、利得制御範囲内にて復調時のＢＥＲが最小となる最適受信レベル点をサーチする。
【００１９】
かくのごとく、受信信号を可変に増幅可能な増幅器（低雑音増幅器）の利得を自動的に調整することによって、可能な限り、該増幅器（低雑音増幅器）の利得制御可能範囲の中心点における基準レベル値に収束するように制御を行い、デジタルＦＰＵ受信装置を使用する使用環境、動作モードの違いに応じてＢＥＲが最小となる最適受信レベル点に自動的に調整することを可能とすることを特徴としている。
【００２０】
（本発明の実施形態の構成例）
図１は、本発明によるデジタルＦＰＵ受信装置のブロック構成の一例を示すブロック構成図である。図１に示すように、本実施形態のデジタルＦＰＵ受信装置は、低雑音増幅器１、バンドパスフィルタ２、ミキサ３、局部発振器４、バンドパスフィルタ５、ＩＦ増幅器６、復調器７、デコーダ８、検波器９、利得制御部１０、ＢＥＲ監視部１１、メモリ１２、および、レベル比較器１３を少なくとも含んで構成されている。
【００２１】
図１に示す本実施形態のデジタルＦＰＵ受信回路は、図３に示す従来技術のデジタルＦＰＵ受信回路に対して、ＢＥＲ監視部１１、メモリ１２、および、レベル比較器１３の回路ブロックが新規に追加されるとともに、利得制御部１０の動作が、図３の利得制御部１０Ａの動作とは異なる動作を行うことによって、低雑音増幅器１に対する利得の制御を、使用する使用環境、動作モードの違いに応じて最適な状態になるようにしている。この他の各回路ブロックについては、図３の各回路ブロックと全く同様であり、図３と同じ符号を付している。
【００２２】
つまり、図１のデジタルＦＰＵ受信装置においては、ＳＨＦ（Super  High  Frequency：マイクロ波）ＩＮ端子より入力されたマイクロ波受信信号は、低雑音増幅器１へ入力される。低雑音増幅器１は、図１の場合と同様、ＳＨＦ  ＩＮ端子に接続されており、ＳＨＦ  ＩＮ端子から入力されたマイクロ波受信信号を利得制御部１０からの利得制御信号に応じた信号レベルに可変に増幅してバンドパスフィルタ２に出力する。
【００２３】
バンドパスフィルタ２は、図１の場合と同様、低雑音増幅器１に接続されており、広帯域な通過特性を有し、ＳＨＦ  ＩＮ端子から入力されてきた受信可能なマイクロ波周波数以外の信号を除去してミキサ３に出力する。ミキサ３は、図１の場合と同様、バンドパスフィルタ２に接続されており、マイクロ波受信信号をＩＦ（Intermediate  Frequency：中間周波数）信号へ変換して、バンドパスフィルタ５に出力する。局部発振器４は、図１の場合と同様、ミキサ３に接続されており、ミキサ３にてＩＦ信号へ変換する際に、使用するローカル信号を発生する。
【００２４】
バンドパスフィルタ５は、図１の場合と同様、ミキサ３に接続されており、自局波帯域以外の信号を除去して、ＩＦ増幅器６に出力する。ＩＦ増幅器６は、図１の場合と同様、バンドパスフィルタ５に接続されており、ＩＦ自局波受信信号を、一定の利得で増幅して復調器７に出力する。復調器７は、図１の場合と同様、ＩＦ増幅器６に接続されており、ＩＦ受信信号を復調してデコーダ８に出力する。デコーダ８は、復調器７に接続されており、復調器７にて復調された信号をデコードして、映像信号、音声信号、ステータス情報として出力する。
【００２５】
検波器９は、ＩＦ増幅器６に接続されており、ＩＦ自局波受信信号の信号レベルを検波して、図１の場合とは異なり、レベル比較器１３と利得制御部１０とに出力する。ＢＥＲ監視部１１は、デコーダ８のステータス情報の信号線に接続されており、デコーダ８から出力されるステータス情報の一つであるＢＥＲ情報（復調信号を復号したデジタル信号のＢＥＲの発生頻度の変化）を監視して、ＢＥＲ情報の監視結果としてレベル比較器１３に出力する。
【００２６】
メモリ１２は、デジタルＦＰＵ受信回路の使用環境、動作モードごとに低雑音増幅器１の利得制御可能範囲の中心点における基準レベル値を記憶しており、該中心点における基準レベル値をレベル比較器１３に出力する。レベル比較器１３は、検波器９、ＢＥＲ監視部１１、メモリ１２に接続されており、ＢＥＲ監視部１１からのＢＥＲ情報の監視結果に基づいて、検波器９からの自局波受信信号の検波レベルとメモリ１２にて記憶されている利得制御可能範囲の中心点における基準レベル値とを比較し、比較結果を、利得制御部１０に出力する。
【００２７】
利得制御部１０は、図１の利得制御部１０の場合とは異なり、検波器９とレベル比較器１３とに接続されており、検波器９からの自局波受信信号の検波レベル値とレベル比較器１３からの比較結果とに基づいて低雑音増幅器１の利得を制御する。
【００２８】
（本実施形態の動作の説明）
次に、図１に示す本実施形態のデジタルＦＰＵ受信回路の動作について、図２を参照しながら説明する。図２は、検波器９におけるＩＦ自局波受信信号の検波レベル値（つまり、実際の使用環境にて受信したＩＦ自局波受信信号の検波レベル値）とメモリ１２に記憶されている低雑音増幅器１の利得制御可能範囲の中心点における基準レベル値との比較結果を説明する説明図であり、図２（Ａ）が、ＩＦ自局波受信信号の検波レベル値が、低雑音増幅器１の利得制御可能範囲の中心点における基準レベル値よりも高い場合を示し、図２（Ｂ）が、逆に、自局波受信信号の検波レベル値が、低雑音増幅器１の利得制御可能範囲の中心点における基準レベル値よりも低い場合を示している。
【００２９】
ＳＨＦ  ＩＮ端子より入力されたマイクロ波受信信号は、前述のように、低雑音増幅器１へ入力されて、利得制御部１０からの利得制御信号に応じた信号レベルに可変に増幅された後、バンドパスフィルタ２において、受信可能なマイクロ波周波数以外の信号成分が除去される。
【００３０】
しかる後、バンドパスフィルタ２からのマイクロ波受信信号は、ミキサ３にて、局部発振器４からのローカル信号により、ＩＦ信号へ変換されて、バンドパスフィルタ５に入力されて、自局波帯域以外の信号成分が除去される。
【００３１】
バンドパスフィルタ５により自局波帯域の信号成分のみになったＩＦ受信信号は、ＩＦ増幅器６にて、一定の利得で増幅されて、復調器７において復調された後、デコーダ８において、デコードされ、映像信号、音声信号、ステータス情報として出力される。
【００３２】
また、ＩＦ増幅器６にて増幅されたＩＦ自局波受信信号の信号レベルが検波器９にて検波されて、ＩＦ自局波受信信号の検波レベル値として、前述のように、利得制御部１０とレベル比較器１３とに出力される。また、デコーダ８から出力されるステータス情報の一つであるＢＥＲ情報は、ＢＥＲ監視部１１にて監視されており、ＢＥＲの劣化が検出された場合は、ＢＥＲの劣化が抑えられ、ＢＥＲが最小になるまで、レベル比較器１３に対してＢＥＲ劣化の旨を通知し続ける。
【００３３】
レベル比較器１３においては、ＢＥＲ監視部１１からＢＥＲ劣化の旨の通知があった場合、検波器９からのＩＦ自局波受信信号の検波レベル値とメモリ１２にあらかじめ記憶されている低雑音増幅器１の利得制御可能範囲の中心点における基準レベル値とを比較し、ＩＦ自局波受信信号の検波レベル値が、低雑音増幅器１の利得制御可能範囲の中心点における基準レベル値に比して、「高い」、「低い」、「一致している」のいずれかを、比較結果として、利得制御部１０へ通知する。
【００３４】
利得制御部１０においては、レベル比較器１３からの比較結果の通知がない状態（つまり、ＢＥＲ監視部１１によるステータス情報の監視結果として、復調時のＢＥＲ劣化がなく、ＢＥＲが最小になっている状態）では、検波器９から通知されてくるＩＦ自局波受信信号の検波レベル値に応じて、低雑音増幅器１に対する利得制御信号を生成して、低雑音増幅器１の利得制御を行う。
【００３５】
一方、レベル比較器１３からの比較結果の通知がある状態（つまり、ＢＥＲ監視部１１によるステータス情報の監視結果として、復調時のＢＥＲ劣化があり、ＢＥＲが最小になるまでの状態）では、利得制御部１０においては、レベル比較器１３からの比較結果の通知内容に応じて、以下のような低雑音増幅器１に対する利得制御を行う。
【００３６】
レベル比較器１３からの比較結果の通知として「高い」との通知があった場合、すなわち、図２（Ａ）に示すように、ＩＦ自局波受信信号の検波レベル値（実際の使用環境にて受信した受信信号の検波レベル値）が、低雑音増幅器１の利得制御可能範囲の中心点における基準レベル値より高い場合は、利得制御部１０は、生成する低雑音増幅器１に対する利得制御信号として、低雑音増幅器１の利得を下げる方向に向かって調整を開始し、利得制御可能範囲内にて利得制御を行う。
【００３７】
一方、レベル比較器１３からの比較結果の通知として「低い」との通知があった場合、すなわち、図２（Ｂ）に示すように、ＩＦ自局波受信信号の検波レベル値（実際の使用環境にて受信した受信信号の検波レベル値）が、低雑音増幅器１の利得制御可能範囲の中心点における基準レベル値より低い場合は、利得制御部１０は、生成する低雑音増幅器１に対する利得制御信号として、低雑音増幅器１の利得を上げる方向に向かって調整を開始し、利得制御可能範囲内にて利得制御を行う。
【００３８】
また、レベル比較器１３からの比較結果の通知として「一致している」との通知があった場合、すなわち、ＩＦ自局波受信信号の検波レベル値（実際の使用環境にて受信した受信信号の検波レベル値）が、低雑音増幅器１の利得制御可能範囲の中心点における基準レベル値に一致している場合は、復調時のＢＥＲが最小になった状態であり、利得制御部１０は、生成する低雑音増幅器１に対する利得制御信号として、低雑音増幅器１の現在の利得をそのまま維持して固定するように利得制御を行う。
【００３９】
（実施形態の効果の説明）
以上に詳細に説明したように、本実施形態においては、以下に記載するような効果を奏することができる。
【００４０】
復調時のＢＥＲが最小となる最適受信レベル点は、デジタルＦＰＵ受信装置の様々な使用環境、動作モードによって異なっているため、本実施形態においては、前述のように、復調時のＢＥＲ情報（復調信号を復号したデジタル信号のＢＥＲの発生頻度の変化）をＢＥＲ監視部１１によって常時監視している。ＢＥＲに劣化が発生した場合、受信した自局波のマイクロ波周波数をＩＦ信号へ変換した受信信号の信号レベルを検波器９にて検波した検波レベル値と、メモリ１２にあらかじめ記憶されている低雑音増幅器１の利得制御可能範囲の中心点における基準レベル値とを比較する。
【００４１】
検波レベル値が低雑音増幅器１の利得制御可能範囲の中心点における基準レベル値よりも高い場合は、低雑音増幅器１の利得を下げる方向に向かって調整を開始し、低雑音増幅器１の利得制御可能範囲内にて最適受信レベル点をサーチする。また、検波レベル値が低雑音増幅器１の利得制御可能範囲の中心点における基準レベル値よりも低い場合は、低雑音増幅器１の利得を上げる方向に向かって調整を開始し、低雑音増幅器１の利得制御可能範囲内にて最適受信レベル点をサーチする。
【００４２】
かくのごとき動作を行うことによって、デジタルＦＰＵ受信装置を実際に使用する使用環境、動作モードにおいてＢＥＲが最小となる最適受信レベル点に自動的に調整することができる。なお、実際に受信した受信信号の検波レベル値が、受信信号を可変に増幅可能な低雑音増幅器１の利得制御可能範囲の中心点における基準レベル値よりも高いか、低いかに応じて、低雑音増幅器１の利得の調整方向を、利得制御可能範囲の中心点に向かう方向で調整を開始しているので、ＢＥＲを現状よりも劣化させることなく利得制御を行うことができる。
【００４３】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記復調信号のビット誤り率の監視結果として、ビット誤り率の劣化を検出した場合、発生するビット誤り率が最小になるまで、前記増幅器の利得制御可能範囲の中心点におけるレベル値としてあらかじめ設定されている基準レベル値と前記検波レベル値との比較結果に基づいて、前記増幅器の利得を制御する上記（１）のデジタルＦＰＵ受信装置。
（３）前記検波レベル値と前記基準レベル値との比較結果、前記検波レベル値が、前記基準レベル値よりも高い場合、前記増幅器の利得を下げる方向に向かって利得の調整を開始して、復調信号のビット誤り率が最小となるように利得を制御し、逆に、前記検波レベル値が、前記基準レベル値よりも低い場合、前記増幅器の利得を上げる方向に向かって利得の調整を開始して、復調信号のビット誤り率が最小となるように利得を制御する上記（２）のデジタルＦＰＵ受信装置。
（４）前記検波レベル値と前記基準レベル値との比較結果、前記検波レベル値が、前記基準レベル値と一致する場合、前記増幅器の現在の利得を維持する上記（２）または（３）のデジタルＦＰＵ受信装置。
（５）前記基準レベル値は、当該デジタルＦＰＵ受信装置が使用される使用環境、動作モードに応じて異なる値に設定されている上記（２）ないし（４）のいずれかのデジタルＦＰＵ受信装置。
（６）前記自局波受信信号の復調時におけるビット誤り率の監視結果として、ビット誤り率の劣化がない場合、前記検波レベル値に応じて、前記増幅器の利得を制御する上記（１）ないし（５）のいずれかのデジタルＦＰＵ受信装置。
【図面の簡単な説明】
【００４４】
【図１】本発明によるデジタルＦＰＵ受信装置のブロック構成の一例を示すブロック構成図である。
【図２】検波器におけるＩＦの自局波受信信号の検波レベル値とメモリに記憶されている低雑音増幅器の利得制御可能範囲の中心点における基準レベル値との比較結果を説明する説明図である。
【図３】従来のデジタルＦＰＵ受信装置のブロック構成を示すブロック構成図である。
【符号の説明】
【００４５】
１        低雑音増幅器
２        バンドパスフィルタ
３        ミキサ
４        局部発振器
５        バンドパスフィルタ
６        ＩＦ増幅器
７        復調器
８        デコーダ
９        検波器
１０      利得制御部
１０Ａ    利得制御部
１１      ＢＥＲ監視部
１２      メモリ
１３      レベル比較器
【図１】
2009218857.tif 000003
【図２】
2009218857.tif 000004
【図３】
2009218857.tif 000005